(57)【要約】【課題】  一つの機種でその表示板ないし装飾板に表示される文字，図形，キャラクターその他の装飾を変更することにより、遊技者に飽きが生ずることを防止することができる新規な遊技機を提供する。【解決手段】  ディスプレー１５の外周側に配置され、装飾文字等を表示する複数の装飾面のうちの何れか特定の装飾面が表示されている状態から他の装飾面が表示されるように駆動手段を介して装飾面を変更する表示変更装置１６ないし２０と、上記駆動手段を作動させる変更操作釦２９と、複数の遊技題材のそれぞれに対応する複数の画像の画像データが記憶された第１の記憶部と、上記画像データを制御する複数の遊技用プログラムが記憶された第２の記憶部と、上記ディスプレー１５，第１及び第２の記憶部，駆動手段及び変更操作釦２９がそれぞれ接続された制御部と、を備え、上記特定の装飾面が表示されている状態から他の装飾面が表示されるようにしたものである。【選択図】  図１
2010259486.tif 000002
【特許請求の範囲】
【請求項１】
遊技盤面に形成された表示用開口部と、
この表示用開口部の裏面側に配置され画像を表示するディスプレーと、
このディスプレーの外周側に配置され、文字，図形，キャラクターその他の装飾を表示する複数の装飾面のうちの何れか特定の装飾面が表示されている状態から他の装飾面が表示されるように駆動手段を介して装飾面を変更する表示変更装置と、
上記駆動手段を作動させる変更操作部と、
上記ディスプレーに表示される複数の画像に対応した画像データが、複数の遊技題材毎に記憶された第１の記憶部と、
上記複数の遊技題材のそれぞれに対応してなるとともに、それぞれの遊技題材に係る複数の画像データを制御する複数の遊技用プログラムが記憶された第２の記憶部と、
上記ディスプレー，第１及び第２の記憶部，駆動手段及び変更操作部がそれぞれ接続された制御部と、を備え、
上記変更操作部の操作により、それまで実行されていた特定の遊技題材に係る遊技用プログラムにより、上記ディスプレーには、特定の遊技題材に係る画像データによる画像が表示されていた状態から、他の遊技題材に対応した遊技用プログラムが実行され、この遊技用プログラムにより他の遊技題材に係る複数の画像データによる画像が制御されて上記ディスプレーに表示されるとともに、
上記駆動手段の駆動により、上記特定の装飾面が表示されている状態から他の装飾面が表示されることを特徴とする遊技機。
【請求項２】
前記表示変更装置は、前記複数の装飾面が形成された単一の装飾体と、
この装飾体を回転駆動又はスライド駆動させる前記駆動手段と、を備え、
前記変更操作部の操作により、上記装飾体が回転駆動又はスライド駆動し、前記特定の装飾面が表示されている状態から他の装飾面が表示される状態に変更されることを特徴とする請求項１記載の遊技機。
【請求項３】
前記表示変更装置は、一方の装飾面が形成された一方の装飾体と、他方の装飾面が形成された他方の装飾体と、
これら一方又は他方の装飾体の何れかを回転駆動又はスライド駆動させる前記駆動手段と、を備え、
前記変更操作部の操作により、上記一方の装飾面が表示されている状態から他方の装飾面が表示される状態に変更されることを特徴とする請求項１記載の遊技機。
【請求項４】
前記一方の装飾面は、前記一方の装飾体の正面に形成され、前記他方の装飾体は、この一方の装飾体の正面側において開閉する一対の開閉部材を備え、この開閉部材の正面は前記他方の装飾面とされていることを特徴とする請求項３記載の遊技機。
【請求項５】
前記遊技盤面には、前記表示用開口部以外に、単一又は複数の開口部が形成され、
この又はこれらの開口部には、前記表示変更装置が配置されてなり、
前記変更操作部の操作により、それまで実行されていた特定の遊技題材に係る遊技用プログラムにより、前記ディスプレーには、特定の遊技題材に係る画像データによる画像が表示されていた状態から、他の遊技題材に対応した遊技用プログラムが実行され、この遊技用プログラムにより他の遊技題材に係る複数の画像データによる画像が制御されて上記ディスプレーに表示されるとともに、全ての表示変更装置の駆動手段が駆動され、前記特定の又は一方の装飾面が表示されている状態から他の又は他方の装飾面が表示された状態に変更されることを特徴とする請求項１，２，３又は４記載の何れかの遊技機。
【発明の詳細な説明】
【技術分野】
【０００１】
本発明は、パチンコと称される遊技機に関するものであって、特に、遊技盤面に図柄を表示するディスプレーと、特定の遊技名その他を表示する表示部とが配置された遊技機に関するものである。
【背景技術】
【０００２】
パチンコと称される遊技機の基本的構成は、遊技盤面のほぼ中央に配置されたディスプレーと、このディスプレーの周囲に配置され、特定の遊技名やディスプレー等に表示される図柄の名称を表示したり遊技盤面を装飾したりする表示板ないしは装飾板とを備えたものであり、機種によりこれらが変更されたものである場合が多い。例えば、上記パチンコ（遊技機）では、上記ディスプレーに表示された図柄が特定の図柄に揃ったことが確定することにより、遊技盤の下方に配置された大入賞口が開放され、この開放された大入賞口にパチンコ玉が入ることにより遊技者に所定の利得を供与するものであるが、これらの構成は、上記ディスプレーに表示される図柄が機種により変更され、またこれに伴い周囲に配置された表示板ないし装飾板も、そのデザインが異なるに過ぎない。
【発明の概要】
【発明が解決しようとする課題】
【０００３】
ところで、こうした遊技機は、毎年新たな機種が市場に投入され、その数も近年では膨大なものに上っている。しかし、パチンコホールは、市場に投入される新たな遊技機（新台）を全て購入できる訳ではない。他方、遊技者としては、同じ遊技機を長期間利用することにより飽きが生じることから、異なる遊技機で楽しみたい要求も高い。すなわち、遊技者としては、同じ遊技機を長期間使用することにより飽きが生ずる一方で、パチンコホールとしては毎年市場に投入される新たな遊技機を購入することには大きな限界がある。
【０００４】
そこで、本発明は、上述した遊技機が有する課題を解決するために提案されたものであって、一つの機種でその表示板ないし装飾板に表示される文字，図形，キャラクターその他の装飾を変更することにより、遊技者に飽きが生ずることを防止することができる新規な遊技機を提供することを目的とするものである。
【課題を解決するための手段】
【０００５】
本発明は、上記の課題を解決するために提案されたものであって、第１の発明（請求項１記載の発明）は、遊技盤面に形成された表示用開口部と、この表示用開口部の裏面側に配置され画像を表示するディスプレーと、このディスプレーの外周側に配置され、文字，図形，キャラクターその他の装飾を表示する複数の装飾面のうちの何れか特定の装飾面が表示されている状態から他の装飾面が表示されるように駆動手段を介して装飾面を変更する表示変更装置と、上記駆動手段を作動させる変更操作部と、上記ディスプレーに表示される複数の画像に対応した画像データが、複数の遊技題材毎に記憶された第１の記憶部と、上記複数の遊技題材のそれぞれに対応してなるとともに、それぞれの遊技題材に係る複数の画像データを制御する複数の遊技用プログラムが記憶された第２の記憶部と、上記ディスプレー，第１及び第２の記憶部，駆動手段及び変更操作部がそれぞれ接続された制御部と、を備え、上記変更操作部の操作により、それまで実行されていた特定の遊技題材に係る遊技用プログラムにより、上記ディスプレーには、特定の遊技題材に係る画像データによる画像が表示されていた状態から、他の遊技題材に対応した遊技用プログラムが実行され、この遊技用プログラムにより他の遊技題材に係る複数の画像データによる画像が制御されて上記ディスプレーに表示されるとともに、上記駆動手段の駆動により、上記特定の装飾面が表示されている状態から他の装飾面が表示されることを特徴とするものである。
【０００６】
この第１の発明（請求項１記載の発明）によれば、上記変更操作部の操作により、それまで実行されていた特定の遊技題材に係る遊技用プログラムにより、上記ディスプレーには、特定の遊技題材に係る画像データによる画像がそれまで表示されていた状態から、他の遊技題材に対応した遊技用プログラムが実行され、この遊技用プログラムにより他の遊技題材に係る複数の画像データによる画像が制御されて上記ディスプレーに表示されるとともに、上記駆動手段の駆動により、特定の文字，図形，キャラクターその他の装飾が表示された装飾面が表示されている状態から他の文字，図形，キャラクターその他の装飾が表示された装飾面を表示して遊技題材を変更することができることから、別の遊技機であるとの印象を遊技者に与えることができ、この結果、遊技者に生ずる飽きを防止するとともに、パチンコホールでは長期間に亘って同じ遊技機を使用することができる。
【０００７】
また、第２の発明（請求項２記載の発明）は、上記第１の発明において、前記表示変更装置は、前記複数の装飾面が形成された単一の装飾体と、この装飾体を回転駆動又はスライド駆動させる前記駆動手段と、を備え、前記変更操作部の操作により、上記装飾体が回転駆動又はスライド駆動し、前記特定の装飾面が表示されている状態から他の装飾面が表示される状態に変更されることを特徴とするものである。
【０００８】
この第２の発明では、単一の装飾体に複数の装飾面が形成されていることから、駆動手段を介してこの装飾体を前記駆動手段により回転駆動又はスライド駆動させることにより、特定の装飾面が表示されている状態から他の装飾面が表示されている状態に変更される。したがって、この第２の発明に係る遊技機によれば、装飾体が単一であることから、簡素な構造となり、遊技者に生ずる飽きを防止することができるばかりではなく、製造原価の低減を図ることができる。
【０００９】
また、第３の発明（請求項３記載の発明）は、上記第１の発明において、前記表示変更装置は、一方の装飾面が形成された一方の装飾体と、他方の装飾面が形成された他方の装飾体と、これら一方又は他方の装飾体の何れかを回転駆動又はスライド駆動させる前記駆動手段と、を備え、前記変更操作部の操作により、上記一方の装飾面が表示されている状態から他方の装飾面が表示される状態に変更されることを特徴とするものである。
【００１０】
この第３の発明では、前記表示変更装置は、一方の装飾面が形成された一方の装飾体と、他方の装飾面が形成された他方の装飾体と、これら一方又は他方の装飾体の何れかを回転駆動又はスライド駆動させる前記駆動手段と、を備えてなることから、簡素な構造により遊技者に生ずる飽きを防止することができるとともに、製造原価の低減を図ることができる。
【００１１】
また、第４の発明（請求項４記載の発明）は、上記第３の発明において、前記一方の装飾面は、前記一方の装飾体の正面に形成され、前記他方の装飾体は、この一方の装飾体の正面側において開閉する一対の開閉部材を備え、この開閉部材の正面は前記他方の装飾面とされていることを特徴とするものである。
【００１２】
この第４の発明によれば、前記一方の装飾面は、前記一方の装飾体の正面に形成され、前記他方の装飾体は、この一方の装飾体の正面側において開閉する一対の開閉部材を備え、この開閉部材の正面は前記他方の装飾面とされてなることから、簡素な構造により遊技者に生ずる飽きを防止することができるとともに、製造原価の低減を図ることができる。
【００１３】
また、第５の発明（請求項５記載の発明）は、上記第１，第２，第３又は第４の何れかの発明において、前記遊技盤面には、前記表示用開口部以外に、単一又は複数の開口部が形成され、この又はこれらの開口部には、前記表示変更装置が配置されてなり、前記変更操作部の操作により、それまで実行されていた特定の遊技題材に係る遊技用プログラムにより、前記ディスプレーには、特定の遊技題材に係る画像データによる画像が表示されていた状態から、他の遊技題材に対応した遊技用プログラムが実行され、この遊技用プログラムにより他の遊技題材に係る複数の画像データによる画像が制御されて上記ディスプレーに表示されるとともに、全ての表示変更装置の駆動手段が駆動され、前記特定の又は一方の装飾面が表示されている状態から他の又は他方の装飾面が表示された状態に変更されることを特徴とするものである。
【００１４】
この第５の発明によれば、前記遊技盤面には、前記表示用開口部以外に、単一又は複数の開口部が形成され、この又はこれらの開口部には、前記表示変更装置が配置されてなり、前記変更操作部の操作により、それまで実行されていた特定の遊技題材に係る画像データによる画像が前記ディスプレーに表示されていた状態から、他の遊技題材に係る複数の画像データによる画像が制御されて上記ディスプレーに表示されるとともに、全ての表示変更装置の駆動手段が駆動され、前記特定の又は一方の装飾面が表示されている状態から他の又は他方の装飾面が表示された状態に変更されることから、遊技者にはより新台が導入されたとの印象を与えることができ、より長期間に亘って同じ遊技機を使用することができる。
【発明の効果】
【００１５】
第１の発明（請求項１記載の発明）によれば、上記変更操作部の操作により、別の遊技機であるとの印象を遊技者に与えることができ、この結果、遊技者に生ずる飽きを緩和するとともに、パチンコホールでは長期間に亘って同じ遊技機を使用することができる。
【００１６】
また、第２の発明（請求項２記載の発明）によれば、前記表示変更装置は、前記複数の装飾面が形成された単一の装飾体と、この装飾体を回転駆動又はスライド駆動させる前記駆動手段とを備えてなることから、簡素な構造により遊技者に生ずる飽きを防止することができるとともに、製造原価の低減を図ることができる。
【００１７】
また、第３の発明（請求項３記載の発明）によれば、前記表示変更装置は、一方の装飾面が形成された一方の装飾体と、他方の装飾面が形成された他方の装飾体と、これら一方又は他方の装飾体の何れかを回転駆動又はスライド駆動させる駆動手段と、を備えてなることから、簡素な構造により遊技者に生ずる飽きを防止することができるとともに、製造原価の低減を図ることができる。
【００１８】
また、第４の発明（請求項４記載の発明）によれば、前記一方の装飾面は、前記一方の装飾体の正面に形成され、前記他方の装飾体は、この一方の装飾体の正面側において開閉する一対の開閉部材を備え、この開閉部材の正面は前記他方の装飾面とされていることから、簡素な構造により遊技者に生ずる飽きを防止することができるとともに、製造原価の低減を図ることができる。
【００１９】
また、第５発明（請求項５記載の発明）によれば、前記遊技盤面には、前記表示用開口部以外に、単一又は複数の開口部が形成され、この又はこれらの開口部には、前記表示変更装置が配置されてなり、前記変更操作部の操作により、それまで実行されていた特定の遊技題材に係る画像データによる画像が前記ディスプレーに表示されていた状態から、他の遊技題材に係る複数の画像データによる画像が制御されて上記ディスプレーに表示されるとともに、全ての表示変更装置の駆動手段が駆動され、前記特定の又は一方の装飾面が表示されている状態から他の又は他方の装飾面が表示された状態に変更されることから、遊技者にはより新台が導入されたとの印象を与えることができ、より長期間に亘って同じ遊技機を使用することができる。
【図面の簡単な説明】
【００２０】
【図１】本発明の実施の形態に係る遊技機の正面図である。
【図２】第１の実施の形態に係る第１の表示変更装置を示す模式図であって、（ａ）は（ｂ）の横断面図、（ｂ）は（ｃ）の縦断面図、（ｃ）は（ｂ）の縦断面図である。
【図３】第１の実施の形態に係る第２の表示変更装置を示す模式図であって、（ａ）は（ｂ）の縦断面図、（ｂ）は（ａ）の縦断面図である。
【図４】図１に示す遊技機の各装飾面を変更した後の状態を示す正面図である。
【図５】本発明の実施の形態に係る遊技機を作動させるためのブロック図である。
【図６】第２の実施の形態に係る第１の表示変更装置を示す模式図であって、（ａ）は（ｂ）の縦断面図、（ｂ）は（ａ）の縦断面図である。
【図７】第２の実施の形態に係る第２の表示変更装置を示す模式図であって、（ａ）は（ｂ）の縦断面図、（ｂ）は（ａ）の縦断面図である。
【図８】第３の実施の形態に係る第４の表示変更装置を示す模式図であって、（ａ）は（ｂ）の横断面図、（ｂ）は（ａ）の縦断面図である。
【図９】第４の実施の形態に係る第１の表示変更装置を示す模式図であって、（ａ）は（ｂ）の横断面図、（ｂ）は正面図、（ｃ）は（ｂ）の縦断面図である。
【図１０】第５の実施の形態に係る第１の表示変更装置を示す模式図であって、（ａ）は（ｂ）の横断面図、（ｂ）は（ｃ）の縦断面図、（ｃ）は（ｂ）の縦断面図である。
【図１１】第６の実施の形態に係る第１の表示変更装置を示す模式図であって、（ａ）は（ｂ）の横断面図、（ｂ）正面図、（ｃ）は（ｂ）の縦断面図である。
【図１２】第７の実施の形態に係る第１の表示変更装置を示す模式図であって、（ａ）は（ｂ）の横断面図、（ｂ）正面図、（ｃ）は（ｂ）の縦断面図である。
【発明を実施するための形態】
【００２１】
以下、本発明を実施するための形態に係る遊技機１について、図面を参照しながら詳細に説明する。なお、この形態は、本発明をパチンコ機に適用したものである。
【００２２】
この遊技機１は、図１に示すように、前面側がヒンジ３０，３０により開閉可能とされた扉状の盤面体２１が構成要素とされ、この盤面体２１の上半部の前面に張られたガラス板２２内で、このガラス板２２と共同で遊技球が流下する遊技領域を形成する遊技盤面２を有し、この遊技盤面２の下方には、遊技球を収容可能な上皿３および下皿４が配置され、この下皿４の右方には、遊技球を発射操作するためのハンドル５が配置されたもの（パチンコ機）である。
【００２３】
上記遊技盤面２は後述する定着板２７の前面であって、この遊技盤面２には、当たりであるか否かを表す特別図柄等を表示する第１の表示部６が中央部に配置され、該第１の表示部６の右方に遊技題材の文字，図形，キャラクターその他の装飾（以下、装飾文字等という）を表示する第２の表示部７が配置され、該第１の表示部６の左方に遊技題材の装飾文字等を表示する第３の表示部８が配置され、該第１の表示部６の下方に遊技球が入る（入賞する）ことで抽選が開始される入賞口である始動入賞口９が配置されている。また、この始動入賞口９の下方に抽選により大当たりとなった場合に開放される入賞口である大入賞口１０が配置され、上皿３の正面側には変更操作釦（本発明を構成する変更操作部）２９が配置されている。これらのうち、第１の表示部６には、枠体１１に略凸字形状の表示用開口部１１ａが形成され、この表示用開口部１１ａの内側であって、中央のやや下方に一方の特別図柄１５ａ，１５ｂ，１５ｃ（図１参照）又は他方の特別図柄１５ｄ，１５ｅ，１５ｆ（図４参照）を通常遊技時においてそれぞれ変動表示する液晶等のディスプレー１５が配置され、この図柄表示装置１５の上方に遊技題材の装飾文字等を表示する第１の表示変更装置１６が配置され、上記図柄表示装置１５の左右両側に遊技題材の装飾文字等を表示する第２の表示変更装置１７及び第３の表示変更装置１８がそれぞれ配置されている。
【００２４】
そして、上記第２の表示部７には、枠体１２に四角形状の表示用開口部１２ａが形成され、この表示用開口部１２ａの内側に遊技題材の装飾文字等を表示する第４の表示変更装置１９が配置されている。また、第３の表示部８には、枠体１３に四角形状の表示用開口部１３ａが形成され、この表示用開口部１３ａの内側に遊技題材の装飾文字等を表示する第５の表示変更装置２０が配置されている。なお、これら第１の表示変更装置１６、第２の表示変更装置１７、第３の表示変更装置１８、第４の表示変更装置１９及び第５の表示変更装置２０は、本発明を構成する表示変更装置であって、様々な形態により実施することができることから、以下の説明ではそれぞれの実施の形態について説明する。
【００２５】
まず、第１の実施の形態について説明する。この第１の実施の形態に係る第１の表示変更装置１６ないし第５の表示変更装置２０は、本発明に係る複数の装飾面がそれぞれ形成された単一の装飾体と、この装飾体を回転駆動又はスライド駆動させる駆動手段とを備えた構成のうち駆動手段が回動駆動させるものである。これらのうち、上記第１の表示変更装置１６は、図２（ｃ）に示す枠体１１の表示用開口部１１ａの背面側であるとともに、ディスプレー１５よりも前方側において、単一の装飾体２３を構成する一方及び他方の表示板２４，２５が、図２（ａ）に示すように、背面合せに対向して配置されている。これら一方及び他方の表示板２４，２５は、図２（ａ）又は（ｂ）に示す左端より内側に位置する左方の連結板２６Ａと、右端に位置する右方の連結板２６Ｂとによりそれぞれ連結され、一方の表示板２４の表面側である装飾面２４ａには、例えば遊技題材の表示が「麻雀」であることを表す装飾文字等（図１参照）が表示され、他方の表示板２５の表面側である装飾面２５ａには、例えば遊技題材の表示が「居酒屋」であることを表す装飾文字等（図４参照）が表示されている。
【００２６】
また、上記枠体１１の内側に配置された定着板２７の切欠き窓（符号は省略する）の図２（ａ）又は（ｂ）に示す左側部には、Ｌ字形状のブラケット２８が固定され、このブラケット２８に、出力軸の回転角度を少なくとも１８０度単位で位置決め可能な第１のステッピングモータ（本発明を構成する駆動手段）３１が固定されている。この第１のステッピングモータ３１の出力軸３１ａは、上記左方の連結板２６Ａに固定されている。また、上記右方の連結板２６Ｂには、支持軸３２が固定され、この支持軸３２は、定着板２７の右側部に固定された支持金具３３により回動自在に支承されている。そして、この支持軸３２と上記第１のステッピングモータ３１との回転中心は、該第１のステッピングモータ３１の駆動により回転され、上記枠体１１側に位置決めされた上記一方の表示板２４の装飾面２４ａ及び他方の表示板２５の装飾面２５ａが、上記遊技盤面２と略同一面となるように構成されている。したがって、この第１の表示変更装置１６を構成する単一の装飾体２３の一方の表示板２４と他方の表示板２５とは、上記第１のステッピングモータ３１を１８０度回転させる毎に、該一方の表示板２４と他方の表示板２５とが交互に遊技盤面２の前面側に表れ、例えば、図１に示す「麻雀」と、図４に示す「居酒屋」との２種類を表示することができる。
【００２７】
また、第２の表示変更装置１７は、図３（ｂ）に示す枠体１１の表示用開口部１１ａの背面側であるとともに、ディスプレー１５よりも前方側に配置され、単一の装飾体３４を構成する一方及び他方の表示板３５，３６が、背面合せに対向してそれぞれ配置されている。これら一方及び他方の表示板３５，３６は、下端より内側に位置する下方の連結板３７Ａと、上端に位置する上方の連結板３７Ｂとによりそれぞれ連結され、一方の表示板３５の表面側である装飾面３５ａには、例えば遊技題材の表示が麻雀の「白發中」であることを表す装飾文字等（図１参照）が表示され、他方の表示板３６の表面側である装飾面３６ａには、例えば遊技題材の表示が居酒屋の「カンパイ」であることを表す装飾文字等（図４参照）が表示されている。
【００２８】
そして、枠体１１の内側に配置された定着板２７の切欠き窓（符号は省略する）の上面部には、Ｌ字形状のブラケット３８が固定され、このブラケット３８に、出力軸の回転角度を少なくとも１８０度単位で位置決め可能な第２のステッピングモータ（本発明を構成する駆動手段）４１が固定されている。この第２のステッピングモータ４１の出力軸４１ａは、上記下方の連結板３７Ａに固定されている。したがって、この第２の表示変更装置１７を構成する装飾体３４の一方の表示板３５と他方の表示板３６とは、上記第２のステッピングモータ４１を１８０度回転させる毎に、該一方の表示板３５と他方の表示板３６とが交互に遊技盤面２の前面側に表れ、例えば、図１に示す「白發中」と、図４に示す「カンパイ」との２種類を表示することができる。また、第３の表示変更装置１８は、上述した第２の表示変更装置１７と対称位置に配置されるとともに、該第２の表示変更装置１７と同一の構成であることから、詳細な説明は省略する。なお、この第３の表示変更装置１８を構成する装飾体３９（図１及び図４参照）は、図５に示す第３のステッピングモータ（本発明を構成する駆動手段）４３により駆動される。
【００２９】
また、第２の表示部７に配置された第４の表示変更装置１９は、上述した第２の表示変更装置１７と同様の構成であることから、詳細な説明は省略する。なお、この第４の表示変更装置１９を構成する装飾体５１（図１及び図４参照）は、図５に示す第４のステッピングモータ（本発明を構成する駆動手段）４４により駆動される。また、第３の表示部８に配置された第５の表示変更装置２０は、上述した第２の表示変更装置１７と同様の構成であることから、詳細な説明は省略する。なお、この第５の表示変更装置２０を構成する装飾体５１（図１及び図４参照）は、図５に示す第５のステッピングモータ（本発明を構成する駆動手段）４５により駆動される。
【００３０】
また、上述した装飾体２３，３４，３９，４７，５１の一方側の５種類の装飾面と、他方側の５種類の装飾面とを変更するには、図１に示す変更操作釦２９を押圧操作することにより変更することができる。この変更操作釦２９による上記一方側の５種類の装飾面と他方側の５種類の装飾面との変更は、図５に示す制御部５５を介して実行され、この制御部５５には、前記ディスプレー１５に表示される複数の画像に対応した画像データが、複数の遊技題材毎に記憶された第１の記憶部５６と、上記複数の遊技題材のそれぞれに対応してなるとともに、それぞれの遊技題材に係る複数の画像データを制御する複数の遊技用プログラムが記憶された第２の記憶部５７と、特別図柄を表示する前記ディスプレー１５と、前記第１ないし第５のステッピングモータ３１，４１，４３，４４，４５と、上記変更操作釦２９とがそれぞれ接続されている。
【００３１】
すなわち、図５に示すように、上記変更操作釦２９は、この遊技機１を後述するように制御する制御部５５に接続されており、この制御部５５は、第１の記憶部５６と第２の記憶部５７にそれぞれ接続され、さらに上記第１ないし第５のステッピングモータ３１，４１，４３，４４，４５に接続されている。そして、上記第１の記憶部５６には、上記ディスプレー１５に表示される複数の画像に対応した画像データが、複数の遊戯題材毎に記憶されている。換言すれば、この第１の記憶部５６には、複数の遊技題材（上述した「麻雀」に係る遊技題材と、「居酒屋」に係る遊技題材）毎の記憶領域を有し、各記憶領域には、上記遊技題材に係る複数の画像データとして、特定の遊技題材の特別図柄１５ａ，１５ｂ，１５ｃ（図１参照）やその他の演出映像、及び他の遊技題材の特別図柄１５ｄ，１５ｅ，１５ｆ（図４参照）やその他の演出映像をそれぞれ表示するための複数の画像の画像データが記憶されている。また、上記第２の記憶部５７には、上記複数の遊技題材のそれぞれに対応した複数の遊技用プログラムが記憶されている（上述した「麻雀」に係る遊技題材に対応した遊技用プログラムと、「居酒屋」に対応した遊技用プログラムとが記憶されている）。これらの遊技用プラグラムは、上記遊技題材に係る複数の画像データを制御するものである。
【００３２】
したがって、上記変更操作釦２９を押圧操作すると、上記制御部５５により、それまで実行されていた特定の遊技題材に対応した特定の遊技用プログラム（例えば、上記「麻雀」に係るプログラム）から、他の遊技題材に対応した遊技用プログラム（例えば、上記「居酒屋」に係るプログラム）が実行され、こうした遊技用プログラムの変更に伴い、それまでは特定の遊技題材に係る画像（例えば、上記「麻雀」に係る画像）がディスプレー１５に表示されていた状態から、他の遊技題材に係る画像（例えば、上記「居酒屋」に係る画像）が表示された状態に変更されるとともに、これらの画像は、上記変更後の遊技用プログラムにより制御される。そして、こうしたディスプレー１５に表示される画像の変更と同時に、上記第１ないし第５のステッピングモータ３１，４１，４３，４４，４５が駆動され、それまで特定の装飾面が表示されていた状態から他の装飾面が表示された状態に変更される。なお、上記変更操作釦２９は、図１に示す上皿３の正面側に配置され、通常は遊技者により操作されるが、ヒンジ３０，３０により開閉可能とされた盤面体２１の背面側に配置され、遊技者ではなくパチンコホールの管理者のみにより操作が可能に配置しても良い。
【００３３】
次に、第２の実施の形態について説明する。なお、上述した第１の実施の形態に係る第１の表示変更装置１６ないし第５の表示変更装置２０が、本発明に係る複数の装飾面がそれぞれ形成された単一の装飾体と、この装飾体を回転駆動させる駆動手段とを備えた構成であるのに対して、この第２の実施の形態は、以下において説明する第１の表示変更装置１１６ないし第５の表示変更装置１２０が、本発明に係る一方の装飾面が形成された一方の装飾体と、他方の装飾面が形成された他方の装飾体と、これら一方又は他方の装飾体の何れかを回転駆動又はスライド駆動させる駆動手段とを備えた構成のうち駆動手段がスライド駆動させるものであって、第１の実施の形態と同一の構成要素には同一の符号を付して詳細な説明は省略する。
【００３４】
まず、第１の表示変更装置１１６は、図６（ｂ）に示す枠体１１の表示用開口部１１ａの背面側であるとともに、ディスプレー１５よりも前方側に配置され、一方の表示板（本発明を構成する一方の装飾体）１２３が枠体１１側であるとともに、他方の表示板（本発明を構成する他方の装飾体）１２４がディスプレー１５側に並列されている。これらのうち、一方の表示板１２３は、図６（ａ）に示すように、背面（符号は省略する）の図示右側にラック歯形１２５ａ（図６（ｂ）参照）が刻設されたラック軸１２５と、図示左側に案内軸１２６とがそれぞれ固定されている。一方のラック軸１２５の上端側は、定着板１２７に固定された支持案内金具１２１の案内穴１２１ａに上下動自在に挿入されているとともに、他方の案内軸１２６の上端側は、定着板１２７に固定された支持案内金具１２２の案内穴１２２ａに上下動自在に挿入されている。この一方の表示板１２３は、その装飾面１２３ａが定着板１２７の遊技盤面１０２と略同一面となるように位置決めされている。
【００３５】
また、支持案内金具１２１の下面１２１ｂには、Ｌ字形状のブラケット１２８が固定され、このブラケット１２８に、出力軸の回転角度を位置決め可能な第１のステッピングモータ１３１が固定されている。この第１のステッピングモータ１３１の出力軸１３１ａには、ピニオン歯車１２９が、上記ラック軸１２５のラック歯形１２５ａと噛合して、該ラック軸１２５とともに上記一方の表示板１２３を上下動可能に固定されている。また、他方の表示板１２４は、その装飾面１２４ａを一方の表示板１２３側にして、図示しない保持部材により定着板１２７に固定されている。この構成において、上記一方の表示板１２３は、上記第１のステッピングモータ１３１の駆動により、図６（ｂ）に示す下端位置と、該一方の表示板１２３の下端（符号は省略する）が他方の表示板１２４の上端（符号は省略する）と略同一面である上端位置とに上下動（スライド）されて位置決めされる。なお、この一方の表示板１２３の上端位置における上端側の一部は、定着板１２７の凹部１２７ｄ内に挿入される。
【００３６】
そして、一方の表示板１２３の表面側である装飾面１２３ａには、例えば遊技題材の表示が「麻雀」であることを表す装飾文字等（図１参照）が表示され、他方の表示板１２４の表面側である装飾面１２４ａには、例えば遊技題材の表示が「居酒屋」であることを表す装飾文字等（図４参照）が表示されている。したがって、上記一方の表示板１２３と他方の表示板１２４とは、該一方の表示板１２３が、図６（ｂ）に示す下端位置に位置決めされた場合には、その装飾面１２３ａが上記枠体１１の表示用開口部１１ａ内側から視認できるとともに、該一方の表示板１２３が、上端位置に位置決めされた場合には、上記他方の表示板１２４の装飾面１２４ａが上記枠体１１の表示用開口部１１ａ内側から視認でき、例えば、図１に示す「麻雀」と、図４に示す「居酒屋」との２種類を表示することができる。
【００３７】
また、第２の表示変更装置１１７は、図７（ｂ）に示す枠体１１の表示用開口部１１ａの背面側であるとともに、ディスプレー１５よりも前方側に配置され、一方の表示板（本発明を構成する一方の装飾体）１３４が枠体１１側であるとともに、他方の表示板（本発明を構成する他方の装飾体）１３５がディスプレー１５側に並列されている。これらのうち、一方の表示板１３４は、図７（ａ）に示すように、背面（符号は省略する）の図示下側にラック歯形１３３ａ（図７（ｂ）参照）が刻設されたラック軸１３３と、図示上側に案内軸１３６とがそれぞれ固定されている。これらラック軸１３３及び案内軸１３６のそれぞれの右端側は、定着板１２７の前面側に固定された支持案内金具１３２，１３７に形成された案内穴１３２ａ，１３７ａに前後動自在に挿入されている。この一方の表示板１３４は、その装飾面１３４ａが定着板１２７の遊技盤面１０２と略同一面となるように位置決めされている。なお、図７（ａ）においては、一方の表示板１３４の装飾面１３４ａに表示されるべき装飾文字等が省略されている。
【００３８】
また、定着板１２７の側面１２７ｇには、Ｌ字形状のブラケット１３８が固定され、このブラケット１３８に、出力軸の回転角度を位置決め可能な第２のステッピングモータ１４１が固定されている。この第２のステッピングモータ１４１の出力軸１４１ａには、ピニオン歯車１３９が、上記ラック軸１３３のラック歯形１３３ａと噛合して、該ラック軸１３３とともに上記一方の表示板１３４を前後動可能に固定されている。また、他方の表示板１３５は、その装飾面１３５ａを一方の表示板１３４側にして、図示しない保持部材により定着板１２７に固定されている。この構成において、上記一方の表示板１３４は、上記第２のステッピングモータ１４１の駆動により、図７（ａ）に示す左端位置と、該一方の表示板１３４の左端（符号は省略する）が他方の表示板１３５の右端（符号は省略する）と略同一面である右端位置とに前後動（スライド）されて位置決めされる。
【００３９】
そして、一方の表示板１３４の表面側である装飾面１３４ａには、例えば遊技題材の表示が麻雀の「白發中」であることを表す装飾文字等（図１参照）が表示され、他方の表示板１３５の表面側である装飾面１３５ａには、例えば遊技題材の表示が居酒屋の「カンパイ」であることを表す装飾文字等（図４参照）が表示されている。したがって、上記一方の表示板１３４と他方の表示板１３５とは、該一方の表示板１３４が、図６（ａ）に示す左端位置に位置決めされた場合には、その装飾面１３４ａが上記枠体１１の表示用開口部１１ａ内側から視認できるとともに、該一方の表示板１３４が、右端位置に位置決めされた場合には、上記他方の表示板１３５の装飾面１３５ａが上記枠体１１の表示用開口部１１ａ内側から視認でき、例えば、図１に示す「麻雀」と、図４に示す「居酒屋」との２種類を表示することができる。
【００４０】
また、第３の表示変更装置１１８は、上述した第２の表示変更装置１１７と対称位置に配置されるとともに、該第２の表示変更装置１１７と同一の構成であることから、詳細な説明は省略する。なお、この第３の表示変更装置１１８を構成する図示しない一方の表示板及び他方の表示板は、図５に示す第３のステッピングモータ１４３により駆動される。また、第４の表示変更装置１１９は、上述した第２の表示変更装置１１７と同様の構成であることから、詳細な説明は省略する。なお、この第４の表示変更装置１１９を構成する図示しない一方の表示板及び他方の表示板は、図５に示す第４のステッピングモータ１４４により駆動される。また、第５の表示変更装置１２０は、上述した第２の表示変更装置１１７と同様の構成であることから、詳細な説明は省略する。なお、この第５の表示変更装置１２０を構成する図示しない一方の表示板及び他方の表示板は、図５に示す第５のステッピングモータ１４５により駆動される。
【００４１】
また、上述した一方の表示板１２３等にそれぞれ形成された装飾面と、他方の表示板１２４等にそれぞれ形成されたと装飾面とを変更するには、上述した第１の実施の形態と同様に、図１に示す変更操作釦２９を押圧操作することにより変更することができる。この変更操作釦２９による上記一方側の装飾面と他方側の装飾面との変更は、図５に示す制御部５５を介して実行され、この制御部５５には、このディスプレーに表示されるとともに、複数の遊技題材のそれぞれに設定された複数の画像の画像データが記憶された第１の記憶部５６と、上記複数の画像にそれぞれ対応するとともに該画像を制御する複数の遊技用プログラムが記憶された第２の記憶部５７と、特別図柄を表示するディスプレー１５と、前記第１ないし第５のステッピングモータ１３１，１４１，１４３，１４４，１４５と、上記変更操作釦２９とがそれぞれ接続されている。したがって、上記変更操作釦２９を押圧操作すると、上述した第１の実施の形態と同様に、上記ディスプレー１５には、上記記憶部５７に記憶された複数の遊技用プログラムから選択された遊技用プログラムに基づき変更された特別図柄が表示されるとともに、上記一方側の装飾面と他方側の装飾面とは、上記選択された遊技用プログラムに対応して上記第１ないし第５のステッピングモータ１３１，１４１，１４３，１４４，１４５が同時に駆動され、上記一方側の装飾面又は他方側の装飾面の何れかに変更される。
【００４２】
次に、第３の実施の形態について説明する。なお、上述した第１の実施の形態に係る第１の表示変更装置１６ないし第５の表示変更装置２０が、本発明に係る複数の装飾面がそれぞれ形成された単一の装飾体と、この装飾体を回転駆動させる駆動手段とを備えた構成であるのに対して、この第３の実施の形態は、以下において説明する第１の表示変更装置２１６ないし第５の表示変更装置２２０の駆動手段が、本発明に係る  スライド駆動による構成であって、第１の実施の形態と同一の構成要素には同一の符号を付して詳細な説明は省略する。
【００４３】
ここでは、図８に示す第４の表示変更装置２１９により説明する。この第４の表示変更装置２１９は、表示板（本発明を構成する単一の装飾体）２３４が、図８（ａ）に示す枠体１２の背面側に配置され、該表示板２３４には、上記枠体１２の表示用開口部１２ａ側に一方の装飾面２３４ａが形成され、この一方の装飾面２３４ａと隣接する左側には、他方の装飾面２３４ｂが形成されている。この表示板２３４は、背面（符号は省略する）の図８（ｂ）に示す上下に中空形状の案内筒２３５，２３６がそれぞれ固定され、これらの案内筒２３５，２３６は、保持軸２３７，２３８にそれぞれ移動自在に挿通されている。これらの保持軸２３７，２３８は、定着板２２７の開口側部２２７ａ，２２７ｂに固定された支持金具２３０，２３１に一方の保持軸２３７が支持され、支持金具２３２，２３３に他方の保持軸２３８が支持されている。
【００４４】
また、定着板２２７の開口側部２２７ａの上方には、Ｌ字形状のブラケット２２８が固定され、このブラケット２２８に、圧力空気により進退作動するエアシリンダ２４１が固定されている。このエアシリンダ２４１の進退作動するロッド２４１ａは、上記案内筒２３５に固定された連結金具２３９固定され、該ロッド２４１ａの作動により、上記案内筒２３５，２３６とともに上記表示板２３４が進退移動される。この構成において、上記表示板２３４は、上記エアシリンダ２４１の作動により、一方の装飾面２３４ａが上記枠体１２の表示用開口部１２ａから視認できる図８（ａ）に示す左端位置と、他方の装飾面２３４ｂが上記枠体１２の表示用開口部１２ａから視認できる右端位置に前後動（スライド）されて位置決めされる。
【００４５】
そして、上記表示板２３４の表面側である一方の装飾面２３４ａには、例えば遊技題材の表示が麻雀の「国士無双」であることを表す装飾文字等（図１参照）が表示され、他方の装飾面２３４ｂには、例えば遊技題材の表示が「居酒屋」であることを表す装飾文字等（図４参照）が表示されている。したがって、上記一方の装飾面２３４ａと他方の装飾面２３４ｂとは、上記表示板２３４が、図６（ａ）又は（ｂ）に示す左端位置に位置決めされた場合には、その一方の装飾面２３４ａが上記枠体１２の表示用開口部１２ａから視認できるとともに、該表示板２３４が、右端位置に位置決めされた場合には、上記他方の装飾面２３４ｂが上記枠体１２の表示用開口部１２ａから視認でき、例えば、図１に示す「国士無双」と、図４に示す「居酒屋」との２種類を表示することができる。
【００４６】
また、第５の表示変更装置２２０は、上述した第４の表示変更装置２１９と対称位置に配置されるとともに、該第４の表示変更装置２１９と同一の構成であることから、詳細な説明は省略する。なお、この第５の表示変更装置２２０を構成する図示しない一方の装飾面及び他方の装飾面が形成された表示板は、図示しないエアシリンダにより駆動される。また、この第３の実施の形態は、上記第４の表示変更装置１１９及び第５の表示変更装置２２０について説明したが、例えば、第２の表示変更装置２１７や第３の表示変更装置２１８についても同様の構成により実施することができる。そして、それぞれの表示板を駆動するエアシリンダを図５に示す各ステッピングモータに置き替えることにより、上述した第１及び第２の実施の形態と同様の操作により一方の装飾面と他方の装飾面とを変更することができる。
【００４７】
次に、第４の実施の形態について説明する。なお、上述した第２の実施の形態に係る第１の表示変更装置１１６ないし第５の表示変更装置１２０が、本発明に係る一方の装飾面が形成された一方の装飾体と、他方の装飾面が形成された他方の装飾体と、これら一方又は他方の装飾体の何れかをスライド駆動させる駆動手段とを備えた構成であるのに対して、この第４の実施の形態は、以下において説明する第１の表示変更装置３１６ないし第５の表示変更装置３２０の駆動手段が、本発明に係る回転駆動による構成であって、第１の実施の形態と同一の構成要素には同一の符号を付して詳細な説明は省略する。
【００４８】
ここでは、図９に示す第１の表示変更装置３１６により説明する。この第１の表示変更装置３１６は、図９（ｃ）に示す枠体１１の表示用開口部１１ａの背面側であるとともに、ディスプレー１５よりも前方側において、断面がＬ字形状に形成された一方の装飾体３２３と、この一方の装飾体３２３の内側で直方体形状に形成された他方の装飾体３２４とが、同一軸線上に配置されている。これらのうち、一方の装飾体３２３は、羽根３２３ｂ，３２３ｃの図９（ａ）に示す左右両端が側板３２３ｄ，３２３ｅにより連結され、一方の側板３２３ｄには、円柱形状に形成された継手３２５が固定されている。この継手３２５には、第１のステッピングモータ３３１の出力軸３３１ａが固定され、この第１のステッピングモータ３３１は、ブラケット３２８により定着板３２７に固定されている。また、この装飾体３２３の他方の側板３２３ｅは、後述する支持軸３３２により回転自在に支持されている。
【００４９】
また、他方の装飾体３２４は、図９（ａ）に示す左端中心部に上記継手３２５の右端側が回転可能に挿入される支持穴３２４ｃが形成され、右端中心部に円柱形状の支持軸３３２が固定されている。この支持軸３３２は、ブラケット３３３に固定され、このブラケット３３３は定着板３２７に固定されている。この構成において、上記一方の装飾体３２３はその羽根３２３ｂが、上記第１のステッピングモータ３３１の駆動により、他方の装飾体３２４の周りで上記継手３２５及び支持軸３３２を中心にして、図９（ｃ）に示すガラス板２２と平行な位置と、この位置から時計回り方向に９０度回転されたガラス板２２と直角な位置（図示は省略）とに位置決めされる。
【００５０】
そして、一方の装飾体３２３の装飾面３２３ａには、例えば遊技題材の表示が「麻雀」であることを表す装飾文字等（図９（ｂ）参照）が表示され、他方の装飾体３２４の装飾面３２４ａには、例えば遊技題材の表示が「居酒屋」であることを表す装飾文字等（図４参照）が表示されている。したがって、上記一方の装飾体３２３と他方の装飾体３２４とは、該一方の装飾体３２３が、図９（ｃ）に示す位置に位置決めされた場合には、その装飾面３２３ａが上記枠体１１の表示用開口部１１ａ内側から視認できるとともに、該一方の装飾体３２３が、図９（ｃ）に示す位置から時計回り方向に９０度回転された位置に位置決めされた場合には、上記他方の装飾体３２４の装飾面３２４ａが上記枠体１１の表示用開口部１１ａ内側から視認でき、例えば、図１に示す「麻雀」と、図４に示す「居酒屋」との２種類を表示することができる。
【００５１】
次に、第５の実施の形態について説明する。なお、上述した第２の実施の形態に係る第１の表示変更装置１１６ないし第５の表示変更装置１２０、又は第４の第１の表示変更装置３１６ないし第５の表示変更装置３２０が、本発明に係る一方の装飾面が形成された一方の装飾体と、他方の装飾面が形成された他方の装飾体と、これら一方又は他方の装飾体の何れかを回転駆動又はスライド駆動させる駆動手段とを備えた構成であるのに対して、この第５の実施の形態は、以下において説明する第１の表示変更装置４１６ないし第５の表示変更装置４２０の上記他方の装飾体が、上記一方の装飾体の正面側において開閉する一対の開閉部材がそれぞれ配置され、該開閉部材の正面に上記他方の装飾面がそれぞれ形成されるとともに、該開閉部材は半円筒形状を２分割した一対の四半円筒体に形成されたものである。なお、第１の実施の形態と同一の構成要素には同一の符号を付して詳細な説明は省略する。
【００５２】
ここでは、図１０に示す第１の表示変更装置４１６により説明する。この第１の表示変更装置４１６は、図１０（ｃ）に示す枠体１１の表示用開口部１１ａの背面側であるとともに、ディスプレー１５よりも前方側において、円柱形状に形成された一方の装飾体４２４と、この一方の装飾体４２４の正面側において、上側及び下側の四半円筒体４２１，４２２により構成された他方の装飾体４２３とがそれぞれ配置されている。これらのうち、一方の装飾体４２４は、円柱形状に形成され、回転中心部に固定された支持軸４３５を介して、定着板４２７の開口側面４２７ａ，４２７ｂに固定されたブラケット４３６，４３７に固定されている（図１０（ｂ）参照）とともに、正面側には一方の装飾面４２４ａが形成されている。
【００５３】
また、他方の装飾体４２３は、図１０（ｃ）に示すように、上記一方の装飾体４２４の外周に該一方の装飾体４２４の外周に沿って回転可能な上側の四半円筒体４２１及び下側の四半円筒体４２２がそれぞれ配置され、これら上側及び下側の四半円筒体４２１，４２２が上記一方の装飾体４２４の正面側においてそれぞれ開閉可能に構成されている。これらのうち、上側の四半円筒体４２１は、正面側に他方の装飾面（上）４２１ａが形成されるとともに、図１０（ａ）又は（ｂ）に示す左端側の外周に歯形４２１ｂが形成され、この歯形４２１ｂには、上側のピニオン４３３が、上記一方の装飾体４２４の外周の上部側で噛合可能に配置されている。この上側のピニオン４３３は、ブラケット４２８を介して定着板４２７に固定された第１のステッピングモータ（上）４３１の出力軸４３１ａに固定されている。
【００５４】
また、上側の四半円筒体４２１には、図１０（ａ）又は（ｂ）に示す右端側の外周に上側の押圧ローラ４５５が当接され、この押圧ローラ４５５は、定着板４２７の開口側面４２７ｂに固定されたブラケット４５１に回転自在に支承された支持軸４５３に固定されるとともに、図示しない付勢部材により付勢され、この付勢部材された押圧ローラ４５５により、上側の四半円筒体４２１が上記一方の装飾体４２４の外周の上端側に押圧されている。したがって、上側の四半円筒体４２１は、上記一方の装飾体４２４の正面上側の図１０（ｃ）に示す閉塞状態から、第１のステッピングモータ（上）４３１の駆動により時計回り方向へ約６０度回転させることにより、上記一方の装飾体４２４の正面上側を開放する状態に変更することができる。
【００５５】
また、下側の四半円筒体４２２は、正面側に他方の装飾面（下）４２２ａが形成されるとともに、図１０（ｂ）に示す右端側の外周に歯形４２２ｂが形成され、この歯形４２２ｂには、下側のピニオン４３４が、上記一方の装飾体４２４の外周の下部側で噛合可能に配置されている。この下側のピニオン４３４は、ブラケット４２８を介して定着板４２７に固定された（図１０（ｃ）参照）第１のステッピングモータ（下）４３２の出力軸４３２ａに固定されている。
【００５６】
また、下側の四半円筒体４２２には、図１０（ｂ）に示す左端側の外周に下側の押圧ローラ４５６が当接され、この押圧ローラ４５６は、定着板４２７の開口側面４２７ａに固定されたブラケット４５２に回転自在に支承された支持軸４５４に固定されるとともに、図示しない付勢部材により付勢され、この付勢部材された押圧ローラ４５６により、下側の四半円筒体４２２が上記一方の装飾体４２４の外周の下端側に押圧されている。したがって、下側の四半円筒体４２２は、上記一方の装飾体４２４の正面下側の図１０（ｃ）に示す閉塞状態から、第１のステッピングモータ（下）４３２の駆動により反時計回り方向へ約６０度回転させることにより、上記一方の装飾体４２４の正面下側を開放する状態に変更することができる。
【００５７】
そして、一方の装飾体４２４の装飾面４２４ａには、例えば遊技題材の表示が「居酒屋」であることを表す装飾文字等（図４参照）が表示され、他方の装飾体４２３を構成する上側及び下側の四半円筒体４２１，４２２のそれぞれの装飾面４２１ａ，４２２ａには、例えば遊技題材の表示が「麻雀」であることを表す装飾文字等（図１又は図１０（ｂ）参照）が表示されている。したがって、上記一方の装飾体４２４と他方の装飾体４２３とは、該他方の装飾体４２３を構成する上側及び下側の四半円筒体４２１，４２２が、図１０（ｃ）に示す位置に位置決めされた場合には、それぞれの装飾面４２１ａ，４２２ａが上記枠体１１の表示用開口部１１ａ内側から視認できるとともに、この図１０（ｃ）に示す位置から、上側の四半円筒体４２１を時計回り方向に約６０度回転させ、かつ、下側の四半円筒体４２２を反時計回り方向に約６０度回転された位置に位置決めされた場合には、上記一方の装飾体４２４の装飾面４２４ａが上記枠体１１の表示用開口部１１ａ内側から視認でき、例えば、図１に示す「麻雀」と、図４に示す「居酒屋」との２種類を表示することができる。
【００５８】
次に、第６の実施の形態について説明する。なお、上述した第５の実施の形態に係る第１の表示変更装置４１６ないし第５の表示変更装置４２０の開閉部材が一対の四半円筒体による構成であるのに対して、この第６の実施の形態は、以下において説明する第１の表示変更装置５１６ないし第５の表示変更装置５２０の開閉部材が一対の扇体により構成されたものであって、第１の実施の形態と同一の構成要素には同一の符号を付して詳細な説明は省略する。
【００５９】
ここでは、図１１に示す第１の表示変更装置５１６により説明する。この第１の表示変更装置５１６は、図１１（ｃ）に示す枠体１１の表示用開口部１１ａの背面側であるとともに、ディスプレー１５よりも前方側において、直方体形状に形成された一方の装飾体５２４と、この一方の装飾体５２４の正面側であって、図１１（ａ）又は（ｂ）に示す左側及び右側の扇体５２１，５２２により構成された他方の装飾体５２３とがそれぞれ配置されている。これらのうち、一方の装飾体５２４は、直方体形状に形成され、定着板５２７に固定されたブラケット５２８の左側取付け部５２８ａと右側取付け部５２８ｂとのそれぞれに固定されているとともに、正面側には一方の装飾面５２４ａが形成されている。
【００６０】
また、他方の装飾体５２３は、図１１（ａ）又は（ｂ）に示すように、扇形状に形成された左側及び右側の扇体５２１，５２２が、上記一方の装飾体５２４の装飾面５２４ａと平行に後述する支持軸５３５，５３６を中心にそれぞれ開閉可能に構成されている。これらのうち、左側の扇体５２１は、正面側に他方の装飾面（左）５２１ａが形成されるとともに、扇形状の要の部分（符号は省略）に支持軸５３５が固定され、この支持軸５３５がブラケット５２８の左側取付け部５２８ａ側に回動自在に支持されている（図１１（ｃ）参照）。また、上記他方の装飾面（左）５２１ａの背面には、左側の内歯車５２５が固定され、この内歯車５２５の内周側に形成された内歯形５２５ａには、左側のピニオン５３３は噛合されている。この左側のピニオン５３３は、第１のステッピングモータ（左）５３１の出力軸５３１ａに固定され、この第１のステッピングモータ（左）５３１は、上記ブラケット５２８の左側取付け部５２８ａ側に固定されている。したがって、左側の扇体５２１は、この扇体５２１の右側直線部（符号は省略する）が図１１（ｂ）に示す垂直に位置決めされ上記一方の装飾体５２４の正面左側を閉塞した状態から、上記第１のステッピングモータ（左）５３１の駆動により時計回り方向へ約７０度回転させることにより、上記一方の装飾体５２４の正面左側を開放する状態に変更することができる。
【００６１】
また、右側の扇体５２２は、正面側に他方の装飾面（右）５２２ａが形成されるとともに、扇形状の要の部分（符号は省略）に支持軸５３６が固定され、この支持軸５３６がブラケット５２８の右側取付け部５２８ｂ側（図１１（ａ）参照）に回動自在に支持されている（支持部の図示は省略）。また、上記他方の装飾面（右）５２２ａの背面には、右側の内歯車５２６が固定され、この内歯車５２６の内周側に形成された内歯形５２６ａには、右側のピニオン５３４は噛合されている。この右側のピニオン５３４は、第１のステッピングモータ（右）５３２の出力軸５３２ａに固定され、この第１のステッピングモータ（右）５３２は、上記ブラケット５２８の右側取付け部５２８ｂ側に固定されている。したがって、右側の扇体５２２は、この扇体５２２の左側直線部（符号は省略する）が図１１（ｂ）に示す垂直に位置決めされ上記一方の装飾体５２４の正面右側を閉塞した状態から、上記第１のステッピングモータ（右）５３２の駆動により反時計回り方向へ約７０度回転させることにより、上記一方の装飾体５２４の正面右側を開放する状態に変更することができる。
【００６２】
そして、一方の装飾体５２４の一方の装飾面５２４ａには、例えば遊技題材の表示が「居酒屋」であることを表す装飾文字等（図４参照）が表示され、他方の装飾体５２３を構成する左側及び右側の扇体５２１，５２２のそれぞれの装飾面５２１ａ，５２２ａには、例えば遊技題材の表示が「麻雀」であることを表す装飾文字等（図１又は図１１（ｂ）参照）が表示されている。したがって、上記一方の装飾体５２４と他方の装飾体５２３とは、該他方の装飾体５２３を構成する左側及び右側の扇体５２１，５２２が、図１１（ｂ）に示す位置に位置決めされた場合には、それぞれの装飾面５２１ａ，５２２ａが上記枠体１１の表示用開口部１１ａ内側から視認できるとともに、この図１１（ｂ）に示す位置から、左側の扇体５２１を時計回り方向に約７０度回転させ、かつ、右側の扇体５２２を反時計回り方向に約７０度回転された位置に位置決めされた場合には、上記一方の装飾体５２４の装飾面５２４ａが上記枠体１１の表示用開口部１１ａ内側から視認でき、例えば、図１に示す「麻雀」と、図４に示す「居酒屋」との２種類を表示することができる。
【００６３】
次に、第７の実施の形態について説明する。なお、上述した第５の実施の形態に係る第１の表示変更装置４１６ないし第５の表示変更装置４２０の開閉部材が一対の四半円筒体による構成、又は第６の実施の形態に係る第１の表示変更装置５１６ないし第５の表示変更装置５２０の開閉部材が一対の扇体による構成であるのに対して、この第７の実施の形態は、以下において説明する第１の表示変更装置６１６ないし第５の表示変更装置６２０の開閉部材が一対の蛇腹装飾体により構成されたものであって、第１の実施の形態と同一の構成要素には同一の符号を付して詳細な説明は省略する。
【００６４】
ここでは、図１２に示す第１の表示変更装置６１６により説明する。この第１の表示変更装置６１６は、図１２（ｃ）に示す枠体１１の表示用開口部１１ａの背面側であるとともに、ディスプレー１５よりも前方側において、直方体形状に形成された一方の装飾体６２４と、この一方の装飾体６２４の正面側であって、図１２（ａ）又は（ｂ）に示す左側及び右側の蛇腹体６２１，６２２により構成された他方の装飾体６２３とがそれぞれ配置されている。これらのうち、一方の装飾体６２４は、直方体形状に形成され、定着板６２７に固定された左側及び右側の受台６２５，６２６のそれぞれに固定されているとともに、正面側には一方の装飾面６２４ａが形成されている。
【００６５】
また、他方の装飾体６２３は、図１２（ａ）に示すように、伸縮自在な蛇腹状に形成された左側及び右側の蛇腹体６２１，６２２が、上記一方の装飾体６２４の装飾面６２４ａと平行に後述する左側及び右側のロッド６３７，６３８に駆動案内されてそれぞれ開閉可能に構成されている。これらのうち、左側の蛇腹体６２１は、正面側に他方の装飾面（左）６２１ａが形成されるとともに、基端部６２１ｄが左側の受台６２５に固定され、かつ先端部６２１ｃが左側のロッド６３７の先端部（符号は省略する）に固定されている。このロッド６３７は、左側の受台６２５の案内穴６２５ａに進退可能に挿入され、該ロッド６３７の図１２（ａ）に示す左右方向への移動により、上記左側の蛇腹体６２１は伸縮して上記一方の装飾体６２４の装飾面６２４ａの正面左側を開放又は閉塞する。また、上記左側のロッド６３７の基端側には第１の直進駆動体（左）６３１が配置され、この第１の直進駆動体（左）６３１は、ガイドレール６３３の両端が定着板６２７と受台６２６とに固定され、このガイドレール６３３には、該ガイドレール６３３に案内されて進退する左側の直進駆動モータ６３５が配置され、この直進駆動モータ６３５に上記左側のロッド６３７の基端部が固定されている。したがって、左側の蛇腹体６２１は、この蛇腹体６２１の先端側が図１２（ａ）又は（ｂ）の左方側に後退され上記一方の装飾体６２４の正面側を開放した状態から、上記左側の直進駆動モータ６３５の前進駆動により蛇腹体６２１の先端側を右方側へ前進させることにより、上記一方の装飾体６２４の正面側を閉塞する状態に変更することができる。
【００６６】
また、右側の蛇腹体６２２は、正面側に他方の装飾面（右）６２２ａが形成されるとともに、基端部６２２ｄが右側の受台６２６に固定され、かつ先端部６２２ｃが右側のロッド６３８の先端部（符号は省略する）に固定されている。このロッド６３８は、右側の受台６２６の案内穴６２６ａに進退可能に挿入され、該ロッド６３８の図１２（ａ）に示す左右方向への移動により、上記右側の蛇腹体６２２は伸縮して上記一方の装飾体６２４の装飾面６２４ａの正面右側を開放又は閉塞する。また、上記右側のロッド６３８の基端側には第１の直進駆動体（右）６３２が配置され、この第１の直進駆動体（右）６３２は、ガイドレール６３４の両端が定着板６２７と受台６２６とに固定され、このガイドレール６３４には、該ガイドレール６３４に案内されて進退する右側の直進駆動モータ６３６が配置され、この直進駆動モータ６３６に上記右側のロッド６３８の基端部が固定されている。したがって、右側の蛇腹体６２２は、この蛇腹体６２２の先端側が図１２（ａ）又は（ｂ）の右方側に後退され上記一方の装飾体６２４の正面側を開放した状態から、上記右側の直進駆動モータ６３６の前進駆動により蛇腹体６２２の先端側を左方側へ前進させることにより、上記一方の装飾体６２４の正面側を閉塞する状態に変更することができる。なお、上記左側の直進駆動モータ６３５及び右側の直進駆動モータ６３６は、例えば、ステッピングモータとボールねじとにより構成されたものや、リニアモータ等を利用することができる。
【００６７】
そして、一方の装飾体６２４の一方の装飾面６２４ａには、例えば遊技題材の表示が「麻雀」であることを表す装飾文字等（図１又は図１２（ｂ）参照）が表示され、他方の装飾体６２３を構成する左側及び右側の蛇腹体６２１，６２２のそれぞれの装飾面６２１ａ，６２２ａには、例えば遊技題材の表示が「居酒屋」であることを表す装飾文字等（図４参照）が表示されている。したがって、上記一方の装飾体６２４と他方の装飾体６２３とは、該他方の装飾体６２３を構成する左側及び右側の蛇腹体６２１，６２２が、図１２（ｂ）に示す位置に位置決めされた場合には、上記一方の装飾体６２４の装飾面６２４ａが上記枠体１１の表示用開口部１１ａ内側から視認できるとともに、この図１２（ｂ）に示す位置から左側の蛇腹体６２１を右方側へ前進させ、かつ、右側の蛇腹体６２２を左方側へ前進させた場合には、これら左側及び右側の蛇腹体６２１，６２２のそれぞれの装飾面６２１ａ，６２２ａが上記枠体１１の表示用開口部１１ａ内側から視認でき、例えば、図１に示す「麻雀」と、図４に示す「居酒屋」との２種類を表示することができる。
【００６８】
次に、上述した遊技機１の使用方法及びその作用効果について、図面を参照しながら詳細に説明する。なお、この遊技機１の使用方法及びその作用効果は、上述した第１ないし第３の実施の形態の何れも同様であることから、以下においては、第１の実施の形態に基づいて説明をし、第２及び第３の実施の形態については説明を省略する。
【００６９】
この遊技機１には、上述したように、図１に示す遊技盤面２に配置された第１ないし第５の表示変更装置１６，１７，１８，１９，２０のそれぞれに、特定の遊技題材の装飾文字等を表示する５種類の一方の表示板２４，３５，４２，４８，５２が配置され、これら一方の表示板２４，３５，４２，４８，５２には、これらのそれぞれと対応し他の遊技題材の装飾文字等を表示する５種類の他方の表示板２５，３６，４６，４９，５３（図４参照）がそれぞれ連結されるとともに（図２又は図３参照）、連結された各対の表示板には、回転角度を１８０度単位で位置決め可能な第１ないし第５のステッピングモータ３１，４１，４３，４４，４５がそれぞれ配置されていることから、上記遊技盤面２に５種類の装飾文字等を表示でき、かつ、前記変更操作釦２９の押圧操作による上記第１ないし第５のステッピングモータ３１，４１，４３，４４，４５の駆動により、特定の遊技題材の装飾文字等又は該特定の遊技題材の装飾文字等と対応する他の遊技題材の装飾文字等に変更することができる。したがって、この遊技機１によれば、特定の遊技題材の装飾文字等又は他の遊技題材の装飾文字等に変更することにより、あたかも別の遊技機１であるとの印象を遊技者に与えることができ、この結果、遊技者に生ずる飽きを緩和するとともに、パチンコホールでは長期間に亘って同じ遊技機１を使用することができる。
【００７０】
また、前記遊技盤面２には、一方の特別図柄１５ａ，１５ｂ，１５ｃ（図１参照）又は他方の特別図柄１５ｄ，１５ｅ，１５ｆ（図４参照）をそれぞれ変動表示するディスプレー１５が配置され、このディスプレー１５は、図５に示すように、制御部５５に接続され、この制御部５には、上記ディスプレーに表示される複数の画像に対応した画像データが、複数の遊技題材毎に記憶された第１の記憶部５６と、上記複数の遊技題材のそれぞれに対応してなるとともに、それぞれの遊技題材に係る複数の画像データを制御する複数の遊技用プログラムが記憶された第２の記憶部５７と、前記変更操作釦２９とがそれぞれ接続されていることから、この変更操作釦２９の押圧操作による上記第１ないし第５のステッピングモータ３１，４１，４３，４４，４５の駆動により、前記特定の遊技題材の装飾文字等又は他の遊技題材の装飾文字等と、該装飾文字等と関連する上記ディスプレー１５に表示される特別図柄とが同時に変更される。
【００７１】
なお、本発明は上述した実施の形態に限定されるものではなく、例えば、本発明を構成する装飾体について、上述した第１の実施の形態では第１ないし第５の表示変更装置の全てについて一方及び他方の表示板をステッピングモータにより回転させる構成により説明したが、一部の表示変更装置について、第２の実施の形態による一方及び他方の表示板をステッピングモータによりスライドさせる機構、第３の実施の形態による単一の表示板をエアシリンダによりスライドさせる機構、第４の実施の形態による一方の装飾体をステッピングモータにより回転させる機構、第５の実施の形態による他方の装飾体の一対の四半円筒体を一対のステッピングモータにより開閉させる構成、第６の実施の形態による他方の装飾体の一対の扇体を一対のステッピングモータにより開閉させる構成、又は第７の実施の形態による他方の装飾体の一対の蛇腹体を一対の直進駆動モータにより開閉させる構成にすることができる。また、上記変更操作釦２９は、押圧操作により特別図柄及び装飾文字等を変更する構成により説明したが、スライド操作によるスライドスイッチや、回転操作による回転スイッチなどであっても良い。
【符号の説明】
【００７２】
１  遊技機
２  遊技盤面
１１  枠体
１１ａ  表示用開口部
１５  ディスプレー
１６  第１の表示変更装置
１７  第２の表示変更装置
１８  第３の表示変更装置
１９  第４の表示変更装置
２０  第５の表示変更装置
２１  前扉
２３  装飾体
２４  一方の表示板
２４ａ  装飾面
２５  他方の表示板
２５ａ  装飾面
２９  変更操作釦
３０  ヒンジ
３１  第１のステッピングモータ
３４  装飾体
３５  一方の表示板
３５ａ  装飾面
３６  他方の表示板
３６ａ  装飾面
３９  装飾体
４１  第２のステッピングモータ
４３  第３のステッピングモータ
４４  第４のステッピングモータ
４５  第５のステッピングモータ
４７  装飾体
５１  装飾体
５５  制御部
【図１】
2010259486.tif 000003
【図２】
2010259486.tif 000004
【図３】
2010259486.tif 000005
【図４】
2010259486.tif 000006
【図５】
2010259486.tif 000007
【図６】
2010259486.tif 000008
【図７】
2010259486.tif 000009
【図８】
2010259486.tif 000010
【図９】
2010259486.tif 000011
【図１０】
2010259486.tif 000012
【図１１】
2010259486.tif 000013
【図１２】
2010259486.tif 000014